(57)【要約】【課題】無線タグを利用することにより、構成が簡単で設置の容易な設備機器用のリモコンシステムを提供する。【解決手段】リモコンシステムＳは、無線タグＴを用いたリモコンＲと検出装置１０とから成り、リモコンＲのタグアンテナ２には回路をＯＮ／ＯＦＦするスイッチ３が設けられる。検出装置１０の検出アンテナ１１を、壁・天井等の建築物構築部材に配設し、リモコンＲの取り付けを容易にする。リモコンＲは初期状態ではアンテナ回路がＯＦＦである。スイッチ操作によりアンテナ回路をＯＮにすると、無線タグＴのＩＣチップ１が検出装置１０から常時発信される電波のエネルギーを利用して電源発生部で動作用電力を発生させ、記憶部に保持した情報に基づき応答信号を返信する。検出装置１０が応答信号を検知すると、制御装置等を介して、所定の機器に所要の動作を実行させる。【選択図】      図１
2005114177.tif 000002
【特許請求の範囲】
【請求項１】
受信した電波信号に応答して記憶部の保持情報に基づき電波信号を返信する機能を持った機能本体部と当該機能本体部の信号送信機能を有効又は無効にするよう動作するスイッチとが設けられた無線タグを用いて構成したリモコン、及び、該リモコンとの間で電波の送受信を行う検出装置から成るシステムであって、前記検出装置の検出アンテナが壁，床，天井等の建築物構成部材に配設され、前記リモコンが操作対象となる設備機器の近傍に配置されていることを特徴とする設備機器リモコンシステム。
【請求項２】
受信した電波信号に応答して記憶部の保持情報に基づき電波信号を返信する機能を持った機能本体部と当該機能本体部の信号送信機能を有効又は無効にするよう動作するスイッチとが設けられた無線タグを用いて構成したリモコン、及び、該リモコンとの間で電波の送受信を行う検出装置から成るシステムであって、前記検出装置の検出アンテナが壁，床，天井等の建築物構成部材に配設され、前記リモコンが操作対象となる設備機器を設置した部屋又は当該設備機器を利用する部屋の外部に配置されていることを特徴とする設備機器リモコンシステム。
【請求項３】
前記検出装置の検出アンテナが建築物構成部材に一体に配設され、当該建築物構成材の表面にリモコンの取着部が設けられている請求項１又は２に記載する設備機器リモコンシステム。
【請求項４】
前記検出装置の検出アンテナが壁，床，天井，浴槽等の浴室構成部材に配設され、前記リモコンを浴室内又は浴室に隣接する部屋に配置した請求項１又は２に記載する設備機器リモコンシステム。
【請求項５】
前記検出装置の検出アンテナが浴槽の上面部に配設され、前記リモコンを浴槽近傍に配置した請求項１に記載する設備機器リモコンシステム。
【請求項６】
リモコンを携帯可能に構成した請求項１乃至５のいずれかに記載の設備機器リモコンシステム。
【発明の詳細な説明】
【技術分野】
【０００１】
本発明は、無線タグを利用して構築した設備機器を遠隔操作するためのリモコンシステムに関する。
【背景技術】
【０００２】
特許文献１に、浴室用のワイヤレスリモコン装置が記載されている。この種のリモコン装置は、内蔵した電池によって動作するものが一般的であるが、特許文献２に記載するように、受信した電波を用いて動作電源を発生させ、これにより動作信号を送信するように構成したリモコンも従来提案されている。
【特許文献１】特開２００３−６１１６９公報
【特許文献２】特開平８−３３１４０９号公報
【発明の開示】
【発明が解決しようとする課題】
【０００３】
特許文献２に記載された前記従来のリモコンは、キー操作部からの入力により所定の送信コードを発生させ、各種動作信号を送信するものである。そのため、他種類の信号を送信可能とするには、キー操作部及び送信コード発生部の構造が複雑になり、製品コストが高くなるという問題がある。
【課題を解決するための手段】
【０００４】
本発明は構造が簡単で安価な設備機器リモコンシステム（以下「本発明リモコンシステム」と言う）を提供するものであって、その特徴とするところは、受信した電波信号に応答して記憶部の保持情報に基づき電波信号を返信する機能を持った機能本体部と当該機能本体部の信号送信機能を有効又は無効にするよう動作するスイッチとが設けられた無線タグを用いて構成したリモコン、及び、該リモコンとの間で電波の送受信を行う検出装置から成るシステムであって、前記検出装置の検出アンテナが壁，床，天井等の建築物構成部材に配設され、前記リモコンが操作対象となる設備機器の近傍に配置されていることである。
【０００５】
ここで無線タグとは、例えば検出装置から送信される電波を利用して電力を生起させ、記憶部に保持した情報に基づき受信電波を変調し、応答信号を生成して送信するものである。スイッチは例えば、無線タグのアンテナ回路に設けられ、回路の開閉操作をすることにより、無線タグの信号送信機能を有効又は無効にするよう動作するものである。
【０００６】
前記の如く構成した本発明リモコンシステムは、例えば次のように動作する。検出装置から常時又は間歇的に電波を送信し、リモコンの無線タグとの間で電波信号の送受信を随時可能な状態とする。ここでリモコンのスイッチは、操作時に無線タグの信号送信機能を有効化するものとする。初期状態では、検出装置の送信電波に対し、無線タグは応答信号を送信しない。スイッチを操作すると、無線タグの信号送信機能が有効になり、無線タグから応答信号が送信され、これを検出装置が検知することにより、所定の機器に所定の動作を実行させる。
【０００７】
前記において、スイッチ操作すると、無線タグの信号送信機能が無効化するよう設定することも可能である。この場合、初期状態では無線タグが常に応答信号を送信し、スイッチを操作して無線タグの信号送信機能が無効にすると、応答信号の途絶を検出装置が検知することにより、所定の動作を実行させる。
【０００８】
本発明リモコンシステムは、リモコンから操作対象となる設備機器に対し直接信号を送信するのでなく、検出装置を介して動作指令信号を送るよう構成したものである。それ故、リモコンを、操作対象となる設備機器を設置した部屋又は当該設備機器を利用する部屋の外部に配置することも可能である。
【０００９】
また本発明リモコンシステムは、前記検出装置の検出アンテナを壁，床，天井等の建築物構成部材に一体に配設し、当該建築物構成材の表面にリモコンの取着部を設ける構成を採用できる。
【００１０】
本発明リモコンシステムは浴室に適用することができる。この場合、前記検出装置の検出アンテナを壁，床，天井，浴槽等の浴室構成部材に配設し、前記リモコンを浴室内又は浴室に隣接する部屋に配置する。あるいは、前記検出装置の検出アンテナを浴槽の上面部に配設し、前記リモコンを浴槽近傍に配置する構成としてもよい。
【００１１】
なお本発明リモコンシステムのリモコンを携帯可能に構成することも可能である。
【発明の効果】
【００１２】
本発明リモコンシステムは、無線タグを利用してリモコンを構成したことにより、検出装置から発信される電波でリモコンの動作電力を発生させることができるから、リモコン設置の際に配線工事の必要がなく、設置作業がきわめて簡単である。また内蔵電池が不要なので、電池残量の管理や電池交換等の手間を省ける。スイッチで無線タグの信号送信機能を有効又は無効にすることにより機器操作を行う構造であるから、リモコンの内部構造を簡単にでき、堅牢な防水構造にするのも容易である。その結果、動作信頼性の高いシステムを簡単に且つ安価に構築することができる。
【００１３】
本発明リモコンシステムにおいて、リモコンを操作対象となる設備機器を設置した部屋又は当該設備機器を利用する部屋の外部に配置した場合は、例えば隣室から各種設備機器を操作することが可能となる。また、前記検出装置の検出アンテナを建築物構成部材に一体に配設し、当該建築物構成材の表面にリモコンの取着部を設けた場合は、施工が容易になる。
【００１４】
本発明リモコンシステムを浴室に適用し、検出装置の検出アンテナを壁，床，天井，浴槽等の浴室構成部材にあらかじめ配設した場合は、施工が容易になると共に、リモコンの取付位置の制限が少なくなるので、リモコンを浴室内又は浴室に隣接する部屋の任意箇所に配置することが可能となる。また、検出装置の検出アンテナを浴槽の上面部に配設し、前記リモコンを浴槽近傍に配置する構成とした場合は、操作性が良好である。
【００１５】
なお本発明リモコンシステムのリモコンを携帯可能に構成した場合は、操作性を向上させることができる。
【発明を実施するための最良の形態】
【００１６】
図１に、本発明を、浴室用の設備機器を操作するためのリモコンシステムＳに適用した例を概略的に示す。このリモコンシステムＳは、無線タグＴを用いたリモコンＲと、このリモコンＲと電波により交信する検出装置１０とを主要な構成要素とする。なお、検出装置１０の検知信号を各種機器へ直接入力するように構成してもよいが、検出装置１０と各種機器との間に制御装置２０を配設してもよい。リーダーとも呼ばれる検出装置１０は、浴室外部、例えば天井裏や壁裏面の空きスペースを利用して配置され、リモコンＲと交信するための検出アンテナ１１は、壁・天井・床・浴槽等の浴室構成部材の裏面又は内部に取り付けられる。これにより、リモコンＲの設置可能範囲を広くすることができる。例えば検出アンテナ１１を壁パネルに埋め込んだ場合、リモコンＲを当該壁パネルの任意箇所に設置すれば、検出装置１０との間の交信が可能になる。またリモコンＲの取付位置は、当該壁パネルの浴室内側表面とする以外に、扉表面，窓表面，浴槽表面等が挙げられる。さらには浴室外側表面に取り付けて、隣室から浴室内の機器を操作可能に構成することも可能である。
【００１７】
リモコンＲは、ＩＣチップ１，タグアンテナ２，及び、タグアンテナ２の途中に設けたスイッチ３より成る無線タグＴを用いて構成され、原則として防水構造とする。ＩＣチップ１とスイッチ３とは１組だけでもよいが、操作しようとする項目数に合わせて組数を増やすのが好ましい。この場合、図２に例示するように、１つのタグアンテナ２に対し、ＩＣチップ１とスイッチ３との複数組を並列に接続する。各ＩＣチップ１の保持情報を変えておくことにより、タグアンテナ２を共通化しても、どのスイッチ操作を行ったかの識別が可能である。
【００１８】
ＩＣチップ１の構造は様々な態様が可能であるが、本例では、図３に示すような内部構造を採用した。すなわち、図面に示す如く、無線通信インターフェースを介してアンテナ２と接続される受信部及び送信部、受信電波により電力を発生させる電源生成部、電波の復調・変調を制御するＭＰＵ等から成る制御部、当該無線タグの識別情報その他の情報を保持する不揮発性メモリ等から成る記憶部などより構成されている。但し上記無線通信インターフェース・受信部・送信部は、一体に構成される場合もある。また、記憶部を読み取り専用メモリで構成してもよいが、所望により書換可能とする場合は、保持情報の更新又は変更のため、外部通信インターフェース（図示せず）をＩＣチップに備えることが望ましい。
【００１９】
タグアンテナ２及び検出アンテナ１１は、検出装置から送信される電波を効率よく受信するため、基板上においてコイル状に巻回した面ループ状形態を採用することも可能である。但しアンテナの形態は、交信に使用する電波の周波数や強度等に基づき変更することが可能であり、例えば棒状・パッチ状（素子状）・複合パッチ状・面状・スロット状・螺旋状・パターン状など状況に応じ適宜採用することが可能である。
【００２０】
タグアンテナ２の途中には、ＯＮ／ＯＦＦ制御のためのスイッチ３が設けられる。スイッチ３の例としては、リードスイッチ・マイクロスイッチ・水銀スイッチ・圧電スイッチ・加圧導電ゴムスイッチ等が挙げられる。スイッチ３は、初期状態ではタグアンテナ２をＯＦＦ（回路が開いた状態）にし、スイッチ操作を行うとアンテナ回路をＯＮ（回路を閉じた状態）にする場合（常時開）と、反対に、初期状態ではアンテナ回路をＯＮに保ち、スイッチ操作を行うとアンテナ回路をＯＦＦにする場合（常時閉）とが考えられる。またスイッチ３の配置については、タグアンテナ２の途中とするのが製作上好適と考えられるが、機械的操作が可能であれば、ＩＣチップ内に組み込むことも妨げない。
【００２１】
リモコンＲは、浴室内において、浴室内に設置される機器又は浴室内で利用する機器を操作するのに用いられるだけでなく、浴室内から浴室外の機器を操作する場合、あるいは浴室外から浴室内の機器を操作する場合にも用いることができる。操作対象となる浴室内機器を例示すれば、自動給湯装置（湯張り装置）・追い焚き装置・湯水循環装置（ジェットバス）・換気装置・乾燥装置・換気乾燥暖房装置・予備暖房装置・洗い場暖房装置（例えば温水放散式のもの）・浴槽排水装置・サウナ装置（ミストサウナなど）・芳香装置・浴室照明装置・浴室収納部の開閉扉の駆動装置などが挙げられる。また操作対象となる浴室外部の機器としては、脱衣所及び／又はリビングの空調装置・照明装置・防曇装置（脱衣所鏡用）・音源再生装置・警報装置などが挙げられる。
【００２２】
前述した本発明リモコンシステムＳの動作を説明すると次の如くである。なおスイッチ３は、初期状態ではアンテナ回路をＯＦＦに維持し、操作により、アンテナ回路をＯＮにするよう動作するものとする。また無線タグ１の記憶部には、スイッチの種類に応じ、それぞれ個別の情報が保持されているものとする。
【００２３】
本発明リモコンシステムＳの検出装置１０は、リモコンＲへ向かって、常時質問信号を発信する。初期状態では、リモコンＲのアンテナ回路はスイッチ３によりＯＦＦとなっており、従って、無線タグ１からの応答は無い。スイッチ３を操作してアンテナ回路をＯＮにすると、リモコンＲの無線タグＴが、検出装置１０から送信される電波信号をタグアンテナ２で受信し、ＩＣチップ１が受信電波のエネルギーを利用して電源生成部で動作用電力を発生させ、記憶部に保存されている情報に基づき、制御部によって受信電波を変調させた応答信号を検出装置１０へ返信する。検出装置１０は、返信された応答信号を検知して内容を解析し、信号情報に基づき、所望により制御機器２０を介して、所定の機器に所要の動作を行わせる。
【００２４】
ところで前記設備機器リモコンシステムＳは、スイッチ操作によりアンテナ回路をＯＮにするように設定したものであるが、反対に、初期状態ではアンテナ回路をＯＮに維持し、常時、リモコンＲと検出装置１０との間で交信が行われるようにし、スイッチ操作するとアンテナ回路がＯＦＦになり、リモコンＲからの応答信号が途絶するように設定することも可能である。
【実施例】
【００２５】
［実施例１］
図４は、本発明リモコンシステムを適用した浴室Ｙの一例を示すものである。本例では、浴室Ｙの天井Ｃの裏（上面側）に検出装置１０を配置し、これに接続される検出アンテナ１１を壁Ｗに配設した。なお検出装置１０の配置に付いては、壁Ｗの裏面側（浴室Ｙの外部側）や床Ｆの下側に空きスペースの有る場合、それらを利用することも妨げない。また必要に応じ、検出装置１０には制御装置（図示せず）を接続して、検出装置１０から出力される検知結果に基づき、制御装置によって、スイッチ操作に対応した機器に所定の動作を実行させるよう構成してもよい。
【００２６】
壁Ｗを壁パネルで構築する場合、壁パネルの製作時にあらかじめアンテナ線を内部に埋め込んでおくことが可能である。あるいは、壁パネルの一方の表面にアンテナ線を貼り付け、他方の表面にリモコンの取着部を設けてもよい。これら場合、壁パネルの材質は、電波透過性とすることが必要である。
【００２７】
リモコンＲ１は、浴室Ｙ内において検出アンテナ１１をあらかじめ埋め込んだ壁Ｗの表面に取り付けられる。これにより、リモコンＲ１を当該壁Ｗの任意の場所に配置しても、その近傍にアンテナ１１が位置するから、リモコンＲ１と検出装置１０との間の電波信号による交信を確実に行える。リモコンＲ１は電気配線が不要なので、取付が非常に簡単である。
【００２８】
浴室Ｙ内のリモコンＲ１で操作する対象機器は、浴室Ｙ内のものとしては、湯を補給するための自動給湯装置、追い焚き装置、いわゆるジェットバス等の湯水循環装置、換気装置、浴槽排水装置、サウナ装置、芳香装置などが挙げられる。
【００２９】
また浴室Ｙ内から浴室外部の機器を操作することも考えられ、例えば、浴室に隣接する洗面所や脱衣室の照明装置、鏡の曇りを防ぐための防曇装置、洗面所・脱衣室のみならずリビングルームも含めた部屋の室温を制御する空調装置、音楽再生装置などのほか、入浴中に体調の異変が生じたときに居室の人間や、病院、消防署等へ連絡するための通報装置などが挙げられる。
【００３０】
なお、リモコンＲ１のスイッチと上記装置とを１対１に対応させてもよいが、１つのスイッチ操作で、複数の機器に所定の一連の動作を実行させるように設定してもよい。例えば、風呂上がりモードスイッチを用意し、これを操作すると、洗面所や脱衣室の照明装置が点灯し、鏡の防曇装置が起動し、空調装置が運転を開始し、音楽再生装置が音源の再生を開始して、浴室から出たときに快適な環境を用意するという態様が考えられる。
【００３１】
［実施例２］
浴室壁Ｗの外側表面にリモコンＲ２を配置して、浴室Ｙの外から浴室Ｙ内の機器を操作するように構成することも可能である。この場合、図４に示すように、浴室Ｙの出入り口に設けたドアＤにおける外側表面にリモコンＲ２を取り付け、検出装置１０に接続される検出アンテナ１１を、ドアＤの周囲の壁Ｗ又はドア枠に配設する。本発明に係る設備機器リモコンシステムのリモコンＲ２は、配線が不要であるから、開閉揺動するドアＤの表面に取り付けて、所定の機器に所要の動作を確実に実行させることができる。
【００３２】
本例におけるリモコンＲ２の操作対象となる浴室内機器は、自動給湯装置・換気装置・乾燥装置・予備暖房装置・温水放散式等の洗い場暖房装置・浴槽排水装置・サウナ装置・芳香装置・照明装置などである。なお本例にあっても、リモコンＲ２のスイッチと上記装置とを１対１に対応させるだけでなく、１つのスイッチ操作で、複数の機器に所定の一連の動作を実行させるように設定することが可能である。例えば、入浴準備モードスイッチを用意し、これを操作すると、自動給湯装置が湯張りを開始し、しかるのち寒冷期にあっては予備暖房装置・洗い場暖房装置が起動して浴室Ｙ内の室温及び床の温度を高めるとともに、芳香装置が動作するという態様が考えられる。
【００３３】
［実施例３］
図５に示すように、本発明リモコンシステムＳの検出装置１０に接続される検出アンテナ１１は、浴室Ｙの天井裏及び／又は床下に配設することも可能である。
【００３４】
［実施例４］
図６に示す如く、浴槽Ｂの上面部に検出アンテナ１１を配設し、浴槽Ｂの近傍にリモコンＲ３を配置することも可能である。検出アンテナ１１は、浴槽Ｂにおける上面部の裏側に貼り付けるほか、浴槽Ｂ上面部の内部に埋め込む構成が可能である。検出アンテナ１１の配置を浴槽上面部としたのは、浴槽Ｂに湯水を張ったとき、検出アンテナ１１が貯留水位以下にあると、電波による交信が難しくなるからである。本例の場合、検出装置１０は、浴槽Ｂの近傍、例えばエプロン裏面側に配置することが望ましい。リモコンＲ３は、浴槽Ｂの上面に取着してもよいが、携帯型とし、湯船に浮かべて使用できるよう構成してもよい。
【産業上の利用可能性】
【００３５】
本発明リモコンシステムは、あらかじめ入力した個人データに基づき、設備機器を各個人向けに設定した態様で動作させることも可能である。例えば、ジェットバスのリモコンとして使用する場合、各個人の所望する運転モードを予め入力しておき、リモコンに設けた各個人用スイッチを一操作（ワンプッシュ）するだけで、当人の所望する運転モードでジェットバスを自動的に運転させるという態様が可能である。また、複数種類の香りを発生させることが可能な芳香装置を浴室内に設けた場合、リモコンの個人用スイッチを操作すると、個人ごとに予め選択した香りを自動的に発生させるようにすることもできる。あるいは、浴室の壁面等に開閉扉を有する収納庫又は回転開閉式収納庫等を設け、個人用スイッチの操作により、該当する個人の収納庫のみ開閉させるような構成も考えられる。さらには、入浴者の心拍・体温と共に、入浴時間・湯温・水位・シャワー使用量等を監視可能なモニター装置を設け、前記項目の数値が、入浴者個人ごとの初期設定値から所定値以上に逸脱したときには、入浴者に異常を報知したり、警報を発令させたりすることも考えられる。
【００３６】
なお本発明リモコンシステムは、無線タグを用いたことにより、防水性に優れたリモコンを構成することができるので、浴室用のほか、キッチン用・トイレ用・洗面所用などの各種水回り施設における設備機器の操作手段として利用することが可能である。
【図面の簡単な説明】
【００３７】
【図１】本発明に係る設備機器リモコンシステムの一実施形態の概略構成を示す図面である。
【図２】本発明に係る設備機器リモコンシステムに用いるリモコンの構造を概略的に示す図面である。
【図３】本発明に係る設備機器リモコンシステムのリモコンに用いる無線タグの内部構造を概略的に示すブロック図である。
【図４】本発明の実施例１及び実施例２を示す浴室の斜視図である。
【図５】本発明の実施例３を示す浴室の斜視図である。
【図６】本発明の実施例４を示す浴槽の斜視図である。
【符号の説明】
【００３８】
Ｓ…設備機器リモコンシステム
Ｒ，Ｒ１，Ｒ２…リモコン
Ｔ…無線タグ
１…ＩＣチップ
２…タグアンテナ
３…スイッチ
１０…検出装置
１１…検出アンテナ
【図１】
2005114177.tif 000003
【図２】
2005114177.tif 000004
【図３】
2005114177.tif 000005
【図４】
2005114177.tif 000006
【図５】
2005114177.tif 000007
【図６】
2005114177.tif 000008